(57)【要約】      （修正有）【課題】外気の侵入を防止し、かつ着用時の快適性を向上させることができる空気供給機能付器具を提供する。【解決手段】空気供給機能付器具１は、使用者の口元周辺に空気を供給するための器具であって、吸引口３ｂから空気を吸引し排出口３ｃから吸引した空気を排出し得るポンプ３と、ポンプ３の排出口３ｃに基端が連結され先端に吹き出し口を有する送気チューブ４と、を備えており、送気チューブ４は、吹き出し口が人の口元周辺に位置するように配置されている。ポンプ３を作動すれば、使用者の口元周辺に送気チューブ４の吹き出し口から空気を供給することができるので、使用者の口元周辺にポンプ３から供給される空気の層を形成することができる。【選択図】図１
0003229894.tif 000002
【実用新案登録請求の範囲】
【請求項１】
使用者の口元周辺に空気を供給するための器具であって、
吸引口から空気を吸引し排出口から吸引した空気を排出し得るポンプと、該ポンプの排出口に基端が連結され先端に吹き出し口を有する送気チューブと、を備えており、
該送気チューブは、
吹き出し口が人の口元周辺に位置するように配置されている
ことを特徴とする空気供給機能付器具。
【請求項２】
前記器具が、耳かけ部とマスク本体部とを有するマスクを備えており、
前記送気チューブは、
吹き出し口が前記マスクの裏面側に突出するように前記マスクに連結されており、
該送気チューブの前記マスクの裏面側に突出した突出部には、多孔質の空気拡散プラグが設けられている
ことを特徴とする空気供給機能付器具。
【請求項３】
前記空気拡散プラグは、
前記送気チューブの突出部に対して着脱可能に設けられている
ことを特徴とする請求項２記載の空気供給機能付器具。
【請求項４】
前記空気拡散プラグは、
前記送気チューブの突出部を収容し得る、取付面に形成された開口と該開口に連続する中空な収容空間を有しており、該空気拡散プラグ内部には、該収容空間の内面と該空気拡散プラグの外面とを連通する孔が複数形成されており、
前記送気チューブの突出部には、内部と外部を貫通する貫通孔が複数形成されている
ことを特徴とする請求項２または３記載の空気供給機能付器具。
【請求項５】
前記空気拡散プラグが、ポリウレタンフォームで形成されている
ことを特徴とする請求項２、３または４記載の空気供給機能付器具。
【請求項６】
前記マスク本体部の裏面には、水分を供給し得る加湿手段が設けられている
ことを特徴とする請求項２、３、４または５記載の空気供給機能付器具。
【請求項７】
前記加湿手段が、水分を含んだ紙製部材である
ことを特徴とする請求項２乃至６記載の空気供給機能付器具。
【請求項８】
前記空気拡散プラグは、
前記送気チューブに対して連結固定するための連結固定具を備えており、
該連結固定具は、
前記空気拡散プラグの収容空間内に設けられた係合部と、該係合部に設けられた前記収容空間内に向かって突出した係合片と、を備えており、
前記送気チューブには、
前記空気拡散プラグを取りつけた状態において、前記係合片が位置する箇所に該係合片を収容し得る係合溝が該送気チューブの周方向に沿って形成されている
ことを特徴とする請求項４乃至７記載の空気供給機能付器具。
【請求項９】
前記器具が、使用者の頭部に装着して前記送気チューブの吹き出し口を有する先端部を使用者の口元周辺に保持するための保持手段を備えており、
該保持手段は、
使用者の頭部に装着するためのヘッドバンド部と、該ヘッドバンド部に基端が連結され、先端部に前記送気チューブを保持し得る棒状のチューブ保持部と、を備えており、
該チューブ保持部は、
前記保持手段を使用者の頭部に装着した状態において、先端部に連結された前記送気チューブの吹き出し口が使用者の口元周辺に位置するように設けられている
ことを特徴とする請求項１記載の空気供給機能付器具。
【請求項１０】
前記ポンプが、フィルター部材で覆われている
ことを特徴とする請求項１乃至９記載の空気供給機能付器具。
【考案の詳細な説明】
【技術分野】
【０００１】
本考案は、空気供給機能付器具に関する。さらに詳しくは、マスク装着時にマスク内を陽圧にして使用される空気供給機能付器具に関する。
【背景技術】
【０００２】
一般的にマスクは、着用者の口と鼻もとを覆う本体部と、本体部を着用者の耳に引っ掛けるための耳掛け部とを備えている。そして、このようなマスクは、通常、装着時において本体部と着用者の顔面との間に隙間が生じる場合がある。このような隙間が生じればマスクの機能である空気中に存在するウイルスや細菌、花粉などを本体部で捕捉することができない可能性がある。
【０００３】
そこで、上記隙間を抑制するための様々なマスクが提案されている（特許文献１〜４）。特許文献１には、クッション部材で形成したリング状のパットをマスク内に装着する技術が開示されている。また特許文献２には、マスクの耳かけ部を特殊構造にすることで、マスク着用時に耳かけ部に生じる張力が耳かけ部と本体部との接合部に作用することで、接合部がマスク着用者の頬部の形状に追従して当該頬部との密着性を高めることができる旨が記載されている。しかし、特許文献１、２のようなマスクは、表情筋を動かさないような平常時では上記隙間が生じにくい構造ではあるものの、着用者が話をしたり、笑ったりした場合に上記隙間が生じてしまというという問題がある。
【０００４】
上記問題を解決するため、マスク着用時に上記隙間が形成されることを前提とした新たなマスクが提案されている（例えば、特許文献３、４）。特許文献３、４には、本体部にチューブを介して小型ポンプが連結したマスクが開示されている。そして、マスク着用時にポンプを作動させることにより、チューブ内を通ってマスク内に空気が供給されることでマスク内を陽圧にすることができるので、上記隙間が生じていいたとしても、かかる隙間から外気が浸入するのを防止できる旨が記載されている。
【先行技術文献】
【特許文献】
【０００５】
【特許文献１】実用新案登録第３０９８８１１号
【特許文献２】特開２０１２−２１７６４９号公報
【特許文献３】特開２００５−８７４２９号公報
【特許文献４】特開２０１６−２０２３０９号公報
【考案の概要】
【考案が解決しようとする課題】
【０００６】
しかしながら、特許文献３、４のマスクでは、マスク内に設けられたチューブの空気排出口からそのままの状態で空気が供給されるので、肌や唇、喉などが乾燥するなど快適性が低いといった問題が生じている。
【０００７】
本考案は上記事情に鑑み、外気の侵入を防止し、かつ着用時の快適性を向上させることができる空気供給機能付器具を提供する。
【課題を解決するための手段】
【０００８】
第１考案の空気供給機能付器具は、使用者の口元周辺に空気を供給するための器具であって、吸引口から空気を吸引し排出口から吸引した空気を排出し得るポンプと、該ポンプの排出口に基端が連結され先端に吹き出し口を有する送気チューブと、を備えており、該送気チューブは、吹き出し口が人の口元周辺に位置するように配置されていることを特徴とする。
第２考案の空気供給機能付器具は、第１考案において、前記器具が、耳かけ部とマスク本体部とを有するマスクを備えており、前記送気チューブは、吹き出し口が前記マスクの裏面側に突出するように前記マスクに連結されており、該送気チューブの前記マスクの裏面側に突出した突出部には、多孔質の空気拡散プラグが設けられていることを特徴とする。
第３考案の空気供給機能付器具は、第２考案において、前記空気拡散プラグは、前記送気チューブの突出部に対して着脱可能に設けられていることを特徴とする。
第４考案の空気供給機能付器具は、第２考案または第３考案において、前記空気拡散プラグは、前記送気チューブの突出部を収容し得る、取付面に形成された開口と該開口に連続する中空な収容空間を有しており、該空気拡散プラグ内部には、該収容空間の内面と該空気拡散プラグの外面とを連通する孔が複数形成されており、前記送気チューブの突出部には、内部と外部を貫通する貫通孔が複数形成されていることを特徴とする。
第５考案の空気供給機能付器具は、第２考案、第３考案または第４考案のいずれかの考案において、前記空気拡散プラグが、ポリウレタンフォームで形成されていることを特徴とする。
第６考案の空気供給機能付器具は、第２考案、第３考案、第４考案または第５考案のいずれかの考案において、前記マスク本体部の裏面には、水分を供給し得る加湿手段が設けられていることを特徴とする。
第７考案の空気供給機能付器具は、第２考案乃至第６考案のいずれかの考案において、前記加湿手段が、水分を含んだ紙製部材であることを特徴とする。
第８考案の空気供給機能付器具は、第４考案乃至第７考案のいずれかの考案において、前記空気拡散プラグは、前記送気チューブに対して連結固定するための連結固定具を備えており、該連結固定具は、前記空気拡散プラグの収容空間内に設けられた係合部と、該係合部に設けられた前記収容空間内に向かって突出した係合片と、を備えており、前記送気チューブには、前記空気拡散プラグを取りつけた状態において、前記係合片が位置する箇所に該係合片を収容し得る係合溝が該送気チューブの周方向に沿って形成されていることを特徴とする。
第９考案の空気供給機能付器具は、第１考案において、前記器具が、使用者の頭部に装着して前記送気チューブの吹き出し口を有する先端部を使用者の口元周辺に保持するための保持手段を備えており、該保持手段は、使用者の頭部に装着するためのヘッドバンド部と、該ヘッドバンド部に基端が連結され、先端部に前記送気チューブを保持し得る棒状のチューブ保持部と、を備えており、該チューブ保持部は、前記保持手段を使用者の頭部に装着した状態において、先端部に連結された前記送気チューブの吹き出し口が使用者の口元周辺に位置するように設けられていることを特徴とする。
第１０考案の空気供給機能付器具は、第１考案乃至第９考案のいずれかの考案において、前記ポンプが、フィルター部材で覆われていることを特徴とする。
【考案の効果】
【０００９】
第１考案によれば、ポンプを作動すれば、使用者の口元周辺に送気チューブの吹き出し口から空気を供給することができるので、使用者の口元周辺にポンプから供給される空気の層を形成することができる。
第２考案によれば、送気チューブの吹き出し口に空気拡散プラグを設けることにより、送気チューブの吹き出し口まで到達した空気を拡散させながらマスク内へ供給できるので、マスク着用時の快適性を向上させることができる。しかも、ポンプを作動させることにより常にマスク内を陽圧状態にできるので、マスクと着用者の顔面との間に形成される隙間から外気が浸入するのも防止できる。
第３考案によれば、空気拡散プラグを取り換えることができるので、衛生面を高くできる。
第４考案によれば、マスク内への空気の拡散性を向上させることができる。
第５考案によれば、空気拡散プラグの成形性を向上させることができる。
第６考案、第７考案によれば、着用時にマスク内を加湿することができる。しかも、供給される空気による気化作用によりマスク内の温度を低下させることができるので、マスク着用時の快適性をより向上させることができる。
第８考案によれば、送気チューブと空気拡散プラグが連結固定されているので、ポンプ作動時やマスク着用時に空気拡散プラグが送気チューブから外れるのを防止できる。
第９考案によれば、器具を使用者の頭部に装着すれば、送気チューブの吹き出し口を適切な位置に配置することができる。
第１０考案によれば、マスク内に供給する空気をフィルター部材で綺麗な状態にして供給することができる。
【図面の簡単な説明】
【００１０】
【図１】本実施形態の空気供給機能付器具１の概略説明図である。
【図２】本実施形態の空気供給機能付器具１のマスク本体部２ａを裏面側２ｂｓ（着用者の顔面に対向する面側）から見た概略図である。
【図３】本実施形態の空気供給機能付器具１の使用状態を示した概略説明図であり矢印は空気の流れを示したものであり、（Ａ）は側面から内部の状況を説明した概略図であり、（Ｂ）は要部概略断面図であり、（Ｃ）は送気チューブ４の突出部の概略断面図である。
【図４】本実施形態の空気供給機能付器具１の空気拡散プラグ１０の概略説明図であり、（Ａ）は空気拡散プラグ１０に形成されている孔１０ａの概略説明図であり、（Ｂ）は概略断面図である。
【図５】空気拡散プラグ１０の取り付け状態の概略説明図であり、（Ａ）は空気拡散プラグ１０と連結固定具１１の概略説明図であり、（Ｂ）は送気チューブ４の突出部に空気拡散プラグ１０を取り付けた状態の概略断面説明図であり、（Ｃ）は連結固定１１用の送気チューブ４の突出部の概略説明図である。
【図６】本実施形態の空気供給機能付器具１の保持手段５の概略説明であり、（Ｂ）は使用者が保持手段のヘッドバンド５ａを頭部に装着してポンプ３を作動させている状況の概略説明図である。
【考案を実施するための形態】
【００１１】
つぎに、本実施形態を図面に基づき説明する。
本実施形態の空気供給機能付器具は、使用時において清浄な空気を使用者の口元周辺に供給するための器具である。とくに、マスクの装着時において、外気の侵入を防止しつつ、着用時の快適性を向上させることができるようにしたことに特徴を有している。
【００１２】
まず、本実施形態の空気供給機能付器具の詳細を説明する前に概略を説明する。
【００１３】
本実施形態の空気供給機能付器具１（以下、単に空気供給機能付器具１という）は、空気を供給するためのポンプ３と、ポンプ３に連結され、ポンプ３から供給される空気を送気するための送気チューブ４と、を備えている。そして、空気供給機能付器具１を使用者が装着した際に送気チューブ４の先端の吹き出し口４ａが使用者の口元周辺に位置するように配置されている。具体的には、送気チューブ４は、先端の吹き出し口４ａが使用者の口元周辺に位置するように後述するマスク２または保持手段５に連結されている。
【００１４】
以上のごとき構成であるので、空気供給機能付器具１のポンプ３を作動させれば、送気チューブ４の吹き出し口４ａからポンプ３周辺の空気を口元周辺に供給することができるようになる。つまり、使用者の口元周辺に送気チューブの吹き出し口から空気を供給することができるので、使用者の口元周辺にポンプから供給される空気の層を形成することができる。このため、かかる空気の層により外部からの空気の侵入を抑制することができるようになる。
以下では、まず、空気供給機能付器具１がマスク２を備えた構成について説明した後に、保持手段５を備えた構成について説明する。
【００１５】
図１に示すように、本実施形態の空気供給機能付器具１（以下、単に空気供給機能付器具１という）は、マスク２と、空気を供給するためのポンプ３と、マスク２とポンプ３を連結する送気チューブ４と、を備えている。
【００１６】
図１に示すように、空気供給機能付器具１の送気チューブ４は、一端がポンプ３の排出口３ｃに連結され、他端がマスク２に形成された取りつけ穴２ｈを通して先端の吹き出し口４ａがマスク２の裏面２ｂｓ（着用時に着用者の顔面に対向する面）側つまりマスク２内側に突出した状態でマスク２に連結されている。そして、図２に示すように、このマスク２内（マスク２の裏面２ｂｓ側）に突出した送気チューブ４の突出部には、空気拡散プラグ１０が設けられている。具体的には、図３に示すように、送気チューブ４の突出部の先端の吹き出し口４ａを覆うように空気拡散プラグ１０が設けられている。
この空気拡散プラグ１０は、多孔質の部材で形成されている。具体的には、図４に示すように、空気拡散プラグ１０は、内部に複数の孔１０ａを有する部材であり、この孔１０ａは、空気拡散プラグ１０の表面と連通するように形成されている。つまり、空気拡散プラグ１０は、表面に対して空気や水などの流体を供給すれば、供給された流体は表面に形成された孔１０ａの開口から内部へ浸透することができるようなっている部材である。
【００１７】
以上のごとき構成であるので、図３に示すように、着用者が空気供給機能付器具１を装着した状態において、ポンプ３を作動させれば、ポンプ３の周囲に存在する空気をマスク２内まで送気し、送気した空気をマスク２内で拡散させることができる。図３には、この空気の流れを矢印で示している。
具体的には、まず、空気供給機能付器具１のポンプ３を作動させると、ポンプ３は、本体部３ａの吸込み口３ｂから周囲の空気を本体部３ａ内に吸引し、吸い込んだ空気を排出口３ｃから排出する。排出口３ｃから排出された空気は、排出口３ｃに連結した送気チューブ４内を通って先端へ向かって移動し、送気チューブ４の先端の空気吹き出し口４ａから排出される。送気チューブ４の空気吹き出し口４ａから排出された空気は、空気吹き出し口４ａを覆うように設けられた多孔質の空気拡散プラグ１０内に形成された複数の孔１０ａを通って空気拡散プラグ１０の表面に形成された開口から四方に放出される（図３（Ａ）参照）。
つまり、図３に示すように、マスク２内において、空気吹き出し口４ａから排出された空気は、空気拡散プラグ１０内部に形成された複数の孔１０ａ内を通って空気拡散プラグ１０の表面に形成された孔１０ａの開口から外部（つまりマスク２内）へ拡散しながら放出される。言い換えれば、空気吹き出し口４ａから吹出され空気は、吹出し方向が、空気拡散プラグ１０により、送気チューブ４の軸方向に沿った流れから空気拡散プラグ１０の表面に形成された複数の孔１０ａの孔軸方向に沿った流れとなるように変更された状態でマスク２内へ供給される。
【００１８】
しかも、送気チューブ４から空気拡散プラグ１０内へ供給された空気は、上記のごとき空気拡散プラグ１０により複数の孔１０ａで分散されてからマスク２内へ供給されるので、各孔１０ａからマスク２内へ供給される空気の空気圧を送気チューブ４に供給された空気圧に比べて非常に低い値にできる。
【００１９】
したがって、空気供給機能付器具１を使用すれば、従来のポンプ付きマスクと同様の空気供給量であっても、送気チューブ４の突出部に設けられた空気拡散プラグ１０により供給した空気を拡散させながらマスク２内へ供給することができる。しかもマスク２内へ供給される圧力は、空気拡散プラグ１０内部の複数の孔１０ａにより分散されるので、排出時の圧力も非常に低い値にできる。このため、従来技術と比べて供給する空気をマイルドに供給できるので、マスク２着用時の快適性を向上させることができる。また、ポンプ３を作動させることによりマスク２内を常に陽圧状態にできるので、マスク２と着用者の顔面との間に形成される隙間から外気がマスク２内へ浸入するのも防止することができる。
【００２０】
つぎに、本実施形態の空気供給機能付器具１の各構成部分について具体的に説明する。
【００２１】
（マスク２）
図１、図２、図３に示すように、空気供給機能付器具１のマスク２は、マスク本体部２ａと、マスク本体部２ａの側方に設けられた着用者の耳に掛ける耳かけ部２ｂとを備えている。このマスク２には、送気チューブ４を取り付けるための取付孔２ｈが形成されている。
図３に示すように、この取付孔２ｈは、送気チューブ４を取り付けることができる大きさに形成されていればとくに限定されないが、送気チューブ４の外径と比べてあまり大きくならないように形成するのが好ましい。例えば、この取付孔２ｈは、マスク本体部２ａの表面と裏面とを貫通するように形成されており、開口径が取り付けられる送気チューブ４の外径とほぼ同じかやや小さくなるように形成することができる。
【００２２】
また、マスク２は、取付孔２ｈに送気チューブ４を通して先端部をマスク２内へ突出した状態を維持できるように、取付孔２ｈ外縁部と取付孔２ｈ外縁の内方に位置する送気チューブ４を連結するための連結手段を備えていてもよい。この連結手段として、例えば、接着剤や粘着テープ、パッキンなど一般に市販されているものを採用することができるが、これらに限定されないのはいうまでもない。この連結手段を備えていれば、取付孔２ｈ外縁と送気チューブ４との間に形成される隙間もなくすことができるので、マスク２内へ供給した空気が両者間に形成された隙間から外部に漏れるのを防止することができる。
【００２３】
なお、空気供給機能付器具１のマスク２は、上記取付孔２ｈを形成することができれば、どのような形態のマスクであっても採用することができる。例えば、市販されているプリーツ型のマスクや、平形状のもののほか、立体型などを採用することができる。立体型としては、Ｎ９５規格や防塵用で採用されているカップ型のものや、マスクの中央部で一対のシートを連結させたタイプ（図１に示すタイプ）のものなど着用時に立体的形状となる市販の様々なマスクを採用することができる。上記のごとくマスク２の形状はとくに限定されないが、立体型のものは着用時にマスク２と着用者の顔面との間に空間を形成し易いので空気の供給や後述する加湿の点で好ましい。
【００２４】
また、マスク２の素材もとくに限定されず、不織布や、ガーゼ、紙、透湿性樹脂シートなど一般に市販されているマスクと同様の機能を有する素材を採用することができる。不織布としては、例えば、ポリエステル系繊維、ポリプロピレン系繊維、レーヨン系線維、ナイロン系線維、アセテート系線維、羊毛系線維、コットン系線維、ウレタン系線維、ポリエチレン系線維の１種又は２種以上を組み合わせたものや、スパンボンド不織布、ポイントボンド不織布、スパンレース不織布、エアスルー不織布などを用いることができる。
【００２５】
（ポンプ３）
空気供給機能付器具１のポンプ３は、本体部３ａを備えており、この本体部３ａには、外部の空気を吸引するための吸引口３ｂと、本体部３ａ内に吸引した空気を排出するための排出口３ｃが形成されている。そして、本体部３ａ内には、吸引口３ｂと排出口３ｃとを連通する空気流路が形成されており、この空気流路内に空気を送気するためのファン（羽根車）が設けられている。つまり、羽根車が回転した際に発生する気流を吸引口３ｂから排出口３ｃへ向かって送気できるように形成されている。このような構成であるので、ポンプ３の電源を入れ、羽根車に接続したモータを作動させて羽根車を回転させれば、吸引口３ｂから空気を本体部３ａ内に導入し、導入された空気を空気流路に沿って移動させて、排出口３ｃから外部に排出させることができるようになっている。
ポンプ３は、上記構成を有するものであれば、市販のものを採用することができる。例えば、観賞魚用で使用される小型ポンプなどを空気供給機能付器具１のポンプ３として採用することができる。
【００２６】
また、空気供給機能付器具１は、ポンプ３を収容し得る中空な収容空間を有しかつフィルタ機能を有する収納ケースを設けてもよい。
この収納ケースは、フィルタ機能を有する素材で形成されていればとくに限定されない。例えば、上述した一般的なマスクに採用されている不織布等のほか、より高機能性を有するＨＥＰＡフィルタ、セミＨＥＰＡフィルタ、ＵＬＰＡフィルタななどを素材として採用することができる。
【００２７】
（送気チューブ４）
空気供給機能付器具１の送気チューブ４は、可撓性を有する両端間に開口を備えた筒状の部材であり、一般的な樹脂製のチューブを採用することができる。図１〜図３に示すように、この送気チューブ４は、一端がポンプ３の排出口３ｃに連結されており、他端の空気吹き出し口４ａがマスク２内に突出するように連結されており、排出口３ｃから排出された空気を内部の中空な流路を通気させて先端の空気吹き出し口４ａから排出できるようになっている。
【００２８】
（空気拡散プラグ１０）
図３に示すように、空気拡散プラグ１０は、送気チューブ４のマスク２内に突出した突出部に設けられた部材であり、送気チューブ４の空気吹き出し口４ａを覆うように設けられている。そして、送気チューブ４の空気吹き出し口４ａから排出される空気を空気拡散プラグ１０内部に形成された複数の孔１０ａを通して外方に向かって拡散できるようになっている。
具体的には、空気拡散プラグ１０は、送気チューブ４の空気吹き出し口４ａが空気拡散プラグ１０の内方に位置するような構造となっている。例えば、図３、図４に示すように、空気拡散プラグ１０は、略円錐台形状であり、軸方向の一の面（取り付けた状態においてマスク２裏面に対向する面）に形成された開口と、この開口から内方に向かって連続する中空な収容空間１０ｈを有するように形成することができる。言い換えれば、空気拡散プラグ１０は、略有底筒状の略円錐台形状に形成することができる。そして、この収容空間１０ｈが、送気チューブ４の突出部に相当する部分を収容し得る空間に相当する。そして、空気拡散プラグ１０の内部には、この収容空間１０ｈ内の内面と空気拡散プラグ１０の表面を連通する孔１０ａが複数形成されている。
【００２９】
このため、図３（Ａ）に示すように、ポンプ３を作動して送気チューブ４の空気吹き出し口４ａから空気が排出されれば、収容空間１０ｈ内に形成された開口から空気を孔１０ａ内部へ通気させることができる。そして、図４（Ａ）に示すように、孔１０ａの一方の開口は空気拡散プラグ１０の表面と連通しているので、空気拡散プラグ１０の表面に形成された複数の孔１０の開口から空気を拡散しながらマスク２内へ供給することができるようになっている。
【００３０】
空気拡散プラグ１０は、上述したように内部に複数の孔１０ａを有する多孔質の部材である。つまり、空気拡散プラグ１０は、ガス透気性や吸水機能などを有する部材であり、上記機能を有する部材であれば、とくに限定されない。
例えば、互いに連続しない複数の孔１０ａを有する部材であってもよく、内部に多数の連続した網目状の孔１０ａを有する部材であってもよい。後者の場合では、いわゆるスポンジ状の部材を空気拡散プラグ１０として採用することができる。具体的には、空気拡散プラグ１０は、軟質性のポリウレタンフォームなどで形成されたスポンジ状の部材で形成することができる。また例えば、市販のポリウレタンフォームで形成された観賞魚用のフィルタを採用することができる。
さらに、市販のものを採用すれば、空気拡散プラグ１０の孔１０ａの大きさを用途に応じて適宜採用することができる。例えば、供給する空気圧を高くしたい場合には、孔１０ａ孔径が大きなものを採用し、マイルドにしたい場合にはその逆に孔１０ａの孔径を小さくしたものを採用すればよい。
【００３１】
とくに、空気拡散プラグ１０の素材として、ポリウレタンフォームなどの柔軟性および／または伸縮性を有する素材で形成すれば、上述した収容空間１０ｈ内の内径の大きさを送気チューブ４の外径よりも小さくすることができる。
この場合、収容空間１０ｈ内に収容した送気チューブ４の突出部を送気チューブ４の周方向から押圧するようにして取り付けることができるので、空気拡散プラグ１０を送気チューブ４の突出部にしっかりと取り付けることができる。
しかも、ポリウレタンフォームなど樹脂製の素材を採用すれば、図４に示すように、内部に複数の網目状の孔１０ａを有する様々な形状の空気拡散プラグ１０を簡単に作製することができるという利点も得られる。
なお、空気拡散プラグ１０の素材は、上記ウレタンフォームに限定されず、例えば、セラミック製や、プラスチック製、金属製などを採用することもできる。
【００３２】
また、図３に示すように、空気拡散プラグ１０が上記のごとき送気チューブ４の突出部を収容し得る収容空間１０ｈを有する構造の場合、送気チューブ４の突出部には、内部と外部を貫通する貫通孔４ｈを形成するのが好ましい。
この場合、ポンプ３を作動させれば、送気チューブ４の空気吹き出し口４ａのほかに空気拡散プラグ１０の収容空間１０ｈ内に位置する送気チューブ４の突出部に形成された複数の貫通孔４ｈからも空気を空気拡散プラグ１０内へ排出させることができるから、送気チューブ４の半径方向に向かっても空気をより適切に拡散させることができるようになる。すると、図３に示すように、送気チューブ４の突出部を空気拡散プラグ１０の収容空間１０ｈ内に収容した状態において、空気が送気されれば、送気チューブ４の複数の貫通孔４ｈからも空気が排出される。そして、貫通孔４ｈから排出された空気は、貫通孔４ｈに隣接する空気拡散プラグ１０の孔１０ａに侵入する。このため、空気拡散プラグ１０の表面全体から空気を放出させることができるので、より空気の拡散効率をより向上させることができるようになるという利点が得られる。
【００３３】
（連結固定具１１）
なお、図５に示すように、空気拡散プラグ１０は、送気チューブ４に対して連結固定するための連結固定具１１を備えていてもよい。この連結固定具１１は、２以上の棒状の部材１１ａが基端で連結した部材であり、空気拡散プラグ１０の収容空間１０ｈ内に収容し得る大きさに形成されている。そして、棒状の部材の先端である係合部１１ｂには、内方に向かって係合片１１ｃが設けられている。
【００３４】
この連結固定具１１は、連結部が空気拡散プラグ１０の収容空間１０ｈの内底面方向に位置するように収容されている。かかる状態において、連結固定具１１は、空気拡散プラグ１０の収容空間内面と接着固定されている。つまり、かかる状態において、連結固定具１１の係合部１１ａに設けられた係合片１１ｃは、収容空間１０ｈの内方に向かって収容空間１０ｈ内面から突出するように配置されている。
【００３５】
一方、図５（Ｂ）および図５（Ｃ）に示すように、空気拡散プラグ１０が上記のごとき連結固定具１１を備える場合、送気チューブ４は、突出部に上記連結固定具１１の係合片１１ｃが位置する箇所に係合片１１ｃを収容し得る係合溝４ｇを送気チューブ４の周方向に沿って形成するのが望ましい。
この場合、空気拡散プラグ１０の収容空間１０ｈに連結固定具１１を装着し、収容空間１０ｈの開口から送気チューブ４を収容空間１０内に挿入する。そして、送気チューブ４の係合溝４ｇに連結固定具１１の係合片１１ｃが係合されるまで挿入すれば、両者をしっかりと連結固定させることができる。しかも、係合片１２ａと係合溝４ｇが係合するまで空気拡散プラグ１０を送気チューブ４の突出部に対して挿入すればよいので、両者の位置固定も確実に行うことができるので、送気チューブ４を挿入しすぎるのを防止するという利点も得られる。
【００３６】
（加湿手段１５）
とくに、図１〜図３に示すように、空気供給機能付器具１は、マスク２を装着した状態において、マスク２内へ水分を供給することができる加湿手段１５を備えた構成とするのが好ましい。この加湿手段１５は、機械的に水分をマスク２内へ供給してもよいし、自然蒸発するようにマスク２内へ取り付けてもよい。
【００３７】
後者の方法としては、紙製、布製、綿製などの自然素材に水分を含ませたものや、化学的に水蒸気を発生させるものをマスク２裏面側に取り付けることができる。かかる素材としては、水分を吸収可能な部材で加湿手段１５が形成されていればよく、例えば、上記素材以外に樹脂製のスポンジ状のもので形成することができる。なお、かかる構成を採用する場合には、加湿手段１５は一つに限定されず、必要に応じて複数の加湿手段１５をマスク２内に貼りつけるなどして取り付ければよい。取り付け方法もとくに限定されず、例えば、後述する面ファスナーや両面テープなどで簡単に取り付けることができる。
【００３８】
また、後者の方法を採用する場合には、図１〜図３に示すように、加湿手段１５は、着脱可能となるようにマスク２裏面２ｂｓ側に取り付けられるのが好ましい。例えば、加湿手段１５に面ファスナーを設ければ、加湿手段１５の着脱を簡単に行うことができる。具体的には、加湿手段１５の外面（つまりマスク２裏面側に対向する面）に、環状の突起を密に植えた面ファスナーのパイル部を設ける。一方、マスク２裏面側の加湿手段１５を取り付ける箇所に、細かなかぎ状突起を密に植えた面ファスナーの鈎部を設ける。すると、パイル部を備えた加湿手段１５をマスク２に設けた鈎部に押し付ければ、面ファスナーによって加湿手段１５をマスク２内に安定した状態で固定することができる。
しかも、加湿手段１５が上記のごとき着脱可能であれば、マスク２内における着用者の所望する位置、例えば、鼻に近い箇所、口に近い箇所など自由な位置に加湿手段１５を設けることができるし、その設ける数も用途に応じて適宜自由に調整することができる。
なお、例えば、加湿手段１５とマスク２内面２ｂｓを接着剤や両面テープ等で連結固定してもよいのは言うまでもない。
【００３９】
図１〜図３に示すように、紙製などの素材に水分を含ませた加湿手段１５を採用した場合、空気拡散プラグ１０の近傍のマスク２裏面側に取り付ければ、より効率的に水分を供給することができる。つまり、ポンプ３を作動させて、空気拡散プラグ１０から空気を拡散させれば（図３（Ａ）参照）、加湿手段１５に含ませた水分部を空気の気流に乗せて拡散させることができる。しかも、空気とともに拡散させることにより水分を気化させることができるので、マスク２内の温度を下げる効果を発揮させることができる。
このため、外気温が高い日や体温が高くなるのにマスクの装着をしなければならないような場合には、上記のごとく加湿手段１５によりマスク２内の温度を下げることができるので、熱中症などの対策として好ましい。
【００４０】
とくに、空気拡散プラグ１０から拡散される空気は、空気拡散プラグ１０の孔１０ａの孔径に応じて非常に小さな気流幅で拡散される。このため、加湿手段１５に含まれる空気をより適切に気化させることができるので、空気供給機能付器具１着用時におけるマスク２内の温度を効率よく下げることができる。
すると、市販のポリウレタンフォームで形成された部材を空気拡散プラグ１０として採用すれば、孔１０ａの大きさの自由度を高くすることができる。
しかも、上述したように、空気拡散プラグ１０を着脱可能な構造とすれば、空気供給機能付器具１の装着する状況に応じて所定の孔径を有する空気拡散プラグ１０を装着することができるので、空気供給機能付器具１の装着時の快適性をより向上させることができる。例えば、ジョギング、肉体労働など体温上昇が予想される場合には、マスク２内で加湿手段１５の水分がより気化し易いように、空気拡散プラグ１０の孔１０ａの大きさをやや大きくなるように調整すればよい。
【００４１】
つぎに、空気供給機能付器具１がマスク２の代わりに保持手段５を備えた構成について説明する。
図６に示すように、空気供給機能付器具１の保持手段５は、使用者の頭部に装着するためのヘッドバンド５ａと、ヘッドバンド部５ａの一端に基端が連結された棒状のチューブ保持部５ｂとを備えている。このチューブ保持部５ｂの先端部には、送気チューブ４の先端部が連結されている。具体的には、両者は、保持手段５の送気チューブ保持部５ｂの先端近傍に送気チューブ４の吹き出し口４ａが位置するように連結されている。
【００４２】
図６（Ｂ）は、空気供給機能付器具１の保持手段５を使用者の頭部に装着した状態を頭頂部の上方から見た図である。図６（Ｂ）に示すように、保持手段５のチューブ保持部５ｂは、保持手段５のヘッドバンド部５ａの両端で使用者の頭部を挟むようにして装着した状態において、先端が使用者の口元周辺に位置するように設けられている。つまり、空気供給機能付器具１の保持手段５を使用者の頭部に装着時において、送気チューブ４の吹き出し口４ａが使用者の口元周辺に位置するように配置される。
【００４３】
上記のごとき構成であるので、ポンプ３を作動すれば、ポンプ３周辺の空気を使用者の口元周辺に供給することができる。とくに、ポンプ３を上記フィルタ機能付の収納ケース内に収容すれば、清浄な空気を常に使用者の口元周辺に供給することができるので好ましい。つまり、マスク２を使用する代わりに保持手段５を備えた構成を備えた空気供給機能付器具１を使用すれば、送気チューブ４の吹き出し口４ａから供給される清浄な空気により、口元周辺を覆うことができるので、ウイルス等を含んだ空気の吸引を抑制することができるようになる。このような構成を備えた空気供給機能付器具１は、仕事上マスクの装着が難い人や、顔面の皮膚がマスクで荒れやすい人などの使用に適している。
【００４４】
なお、保持手段５のチューブ保持部５ｂの先端部に送気チューブ４の先端部を連結する方法は、両者を連結することができる方法であれば、とくに限定されない。例えば、接着剤やテープ、ゴムバンド、紐、クリップなどを用いて両者を連結することができる。
また、送気チューブ４の先端部には、上記空気拡散プラグ１０を備えてもよい。この場合、上述と同様の空気拡散機能を発揮させることができる。
【産業上の利用可能性】
【００４５】
本考案の空気供給機能付器具は、使用者の口元周辺にきれいな空気を供給することができる装置として適している。とくに、マスク装着時にマスク内を陽圧にして使用されるマスクとして適している。
【符号の説明】
【００４６】
１      空気供給機能付器具
２      マスク
３      ポンプ
４      送気チューブ
４ａ    送気チューブの空気吹き出し口
１０    空気拡散プラグ
１０ａ  空気拡散プラグの孔
１０ｈ  空気拡散プラグ内の収容空間
１１    連結固定具
１５      加湿手段
【図１】
0003229894.tif 000003
【図２】
0003229894.tif 000004
【図３】
0003229894.tif 000005
【図４】
0003229894.tif 000006
【図５】
0003229894.tif 000007
【図６】
0003229894.tif 000008
【手続補正書】
【提出日】令和2年10月7日(2020.10.7)
【手続補正１】
【補正対象書類名】実用新案登録請求の範囲
【補正対象項目名】全文
【補正方法】変更
【補正の内容】
【実用新案登録請求の範囲】
【請求項１】
使用者の口元周辺に空気を供給するための器具であって、
吸引口から空気を吸引し排出口から吸引した空気を排出し得るポンプと、該ポンプの排出口に基端が連結され先端に吹き出し口を有する送気チューブと、着用者の頭部に装着し得る前記送気チューブを連結し保持する部材と、を備えており、
該部材は、
前記送気チューブの吹き出し口が人の口元周辺に位置するように保持するものである
ことを特徴とする空気供給機能付器具。
【請求項２】
前記部材が、耳かけ部とマスク本体部とを有するマスクであり、
前記送気チューブは、
吹き出し口が前記マスクの裏面側に突出するように前記マスクに連結されており、
該送気チューブの前記マスクの裏面側に突出した突出部には、多孔質の空気拡散プラグが設けられている
ことを特徴とすることを特徴とする請求項１記載の空気供給機能付器具。
【請求項３】
前記空気拡散プラグは、
前記送気チューブの突出部に対して着脱可能に設けられている
ことを特徴とする請求項２記載の空気供給機能付器具。
【請求項４】
前記空気拡散プラグは、
前記送気チューブの突出部を収容し得る、取付面に形成された開口と該開口に連続する中空な収容空間を有しており、該空気拡散プラグ内部には、該収容空間の内面と該空気拡散プラグの外面とを連通する孔が複数形成されており、
前記送気チューブの突出部には、内部と外部を貫通する貫通孔が複数形成されている
ことを特徴とする請求項２または３記載の空気供給機能付器具。
【請求項５】
前記空気拡散プラグが、ポリウレタンフォームで形成されている
ことを特徴とする請求項２、３または４記載の空気供給機能付器具。
【請求項６】
前記マスク本体部の裏面には、水分を供給し得る加湿手段が設けられている
ことを特徴とする請求項２、３、４または５記載の空気供給機能付器具。
【請求項７】
前記加湿手段が、水分を含んだ紙製部材である
ことを特徴とする請求項６記載の空気供給機能付器具。
【請求項８】
前記空気拡散プラグは、
前記送気チューブに対して連結固定するための連結固定具を備えており、
該連結固定具は、
前記空気拡散プラグの収容空間内に設けられた係合部と、該係合部に設けられた前記収容空間内に向かって突出した係合片と、を備えており、
前記送気チューブには、
前記空気拡散プラグを取りつけた状態において、前記係合片が位置する箇所に該係合片を収容し得る係合溝が該送気チューブの周方向に沿って形成されている
ことを特徴とする請求項４乃至７のいずれかに記載の空気供給機能付器具。
【請求項９】
前記部材が、使用者の頭部に装着して前記送気チューブの吹き出し口を有する先端部を使用者の口元周辺に保持するための保持手段であり、
該保持手段は、
使用者の頭部に装着するためのヘッドバンド部と、該ヘッドバンド部に基端が連結され、先端部に前記送気チューブを保持し得る棒状のチューブ保持部と、を備えており、
該チューブ保持部は、
前記保持手段を使用者の頭部に装着した状態において、先端部に連結された前記送気チューブの吹き出し口が使用者の口元周辺に位置するように設けられている
ことを特徴とする請求項１記載の空気供給機能付器具。
【請求項１０】
前記ポンプが、フィルター部材で覆われている
ことを特徴とする請求項１乃至９のいずれかに記載の空気供給機能付器具。
【手続補正２】
【補正対象書類名】明細書
【補正対象項目名】０００８
【補正方法】変更
【補正の内容】
【０００８】
第１考案の空気供給機能付器具は、使用者の口元周辺に空気を供給するための器具であって、吸引口から空気を吸引し排出口から吸引した空気を排出し得るポンプと、該ポンプの排出口に基端が連結され先端に吹き出し口を有する送気チューブと、着用者の頭部に装着し得る前記送気チューブを連結し保持する部材と、を備えており、該部材は、前記送気チューブの吹き出し口が人の口元周辺に位置するように保持するものであることを特徴とする。
第２考案の空気供給機能付器具は、第１考案において、前記部材が、耳かけ部とマスク本体部とを有するマスクであり、前記送気チューブは、吹き出し口が前記マスクの裏面側に突出するように前記マスクに連結されており、該送気チューブの前記マスクの裏面側に突出した突出部には、多孔質の空気拡散プラグが設けられていることを特徴とする。
第３考案の空気供給機能付器具は、第２考案において、前記空気拡散プラグは、前記送気チューブの突出部に対して着脱可能に設けられていることを特徴とする。
第４考案の空気供給機能付器具は、第２考案または第３考案において、前記空気拡散プラグは、前記送気チューブの突出部を収容し得る、取付面に形成された開口と該開口に連続する中空な収容空間を有しており、該空気拡散プラグ内部には、該収容空間の内面と該空気拡散プラグの外面とを連通する孔が複数形成されており、前記送気チューブの突出部には、内部と外部を貫通する貫通孔が複数形成されていることを特徴とする。
第５考案の空気供給機能付器具は、第２考案、第３考案または第４考案のいずれかの考案において、前記空気拡散プラグが、ポリウレタンフォームで形成されていることを特徴とする。
第６考案の空気供給機能付器具は、第２考案、第３考案、第４考案または第５考案のいずれかの考案において、前記マスク本体部の裏面には、水分を供給し得る加湿手段が設けられていることを特徴とする。
第７考案の空気供給機能付器具は、第６考案において、前記加湿手段が、水分を含んだ紙製部材であることを特徴とする。
第８考案の空気供給機能付器具は、第４考案乃至第７考案のいずれかの考案において、前記空気拡散プラグは、前記送気チューブに対して連結固定するための連結固定具を備えており、該連結固定具は、前記空気拡散プラグの収容空間内に設けられた係合部と、該係合部に設けられた前記収容空間内に向かって突出した係合片と、を備えており、前記送気チューブには、前記空気拡散プラグを取りつけた状態において、前記係合片が位置する箇所に該係合片を収容し得る係合溝が該送気チューブの周方向に沿って形成されていることを特徴とする。
第９考案の空気供給機能付器具は、第１考案において、前記部材が、使用者の頭部に装着して前記送気チューブの吹き出し口を有する先端部を使用者の口元周辺に保持するための保持手段であり、該保持手段は、使用者の頭部に装着するためのヘッドバンド部と、該ヘッドバンド部に基端が連結され、先端部に前記送気チューブを保持し得る棒状のチューブ保持部と、を備えており、該チューブ保持部は、前記保持手段を使用者の頭部に装着した状態において、先端部に連結された前記送気チューブの吹き出し口が使用者の口元周辺に位置するように設けられていることを特徴とする。
第１０考案の空気供給機能付器具は、第１考案乃至第９考案のいずれかの考案において、前記ポンプが、フィルター部材で覆われていることを特徴とする。